(57)【特許請求の範囲】
【請求項１】
キャップ型部材（１５）と、キャップ型部材の内側にキャップ型部材と一体的に設けられた軸係止部（１９）と、キャップ型部材の外側にキャップ型部材の下端より上に位置させてキャップ型部材と一体的に設けられた鍔部（２７）と、キャップ型部材の下端縁から外側に張り出すように設けられたコンクリート型枠への取り付け部（２９）とを有し、
前記軸係止部（１９）は、その内径が挿入される軸の外径よりも小さい軸挿通穴（２１）と、この軸挿通穴に軸を挿入すると上方へ弾性変形して軸の挿入を許容すると共に軸の引き抜きに抵抗する複数の弾性爪片（２３）とで構成されており、前記軸係止部（１９）とキャップ型部材（１５）の頂部との間には軸の挿入を許容する空間（２５）が設けられている、ことを特徴とする配管・配線固定用埋め込み部材。
【請求項２】
請求項１記載の埋め込み部材（１１）と、配管・配線の保持部材（１３）との組み合わせからなり、前記保持部材（１３）は、配管・配線を保持するホルダー（３１）と、このホルダーから突出して前記軸係止部（１９）に挿入される支持軸（３３）とを有していることを特徴とする配管・配線固定具。
【発明の詳細な説明】
【０００１】
【発明の属する技術分野】
本発明は、配管や配線を天井、壁、柱、床面などに固定するのに使用する配管・配線固定用埋め込み部材と、それを用いた配管・配線固定具に関するものである。
【０００２】
【従来の技術】
従来、屋内配管（例えば給水・給湯配管システムのさや管ヘッダー工法に用いられるさや管や、配線に用いられる可とう電線管）を、建築物のコンクリートスラブ等に固定する場合には、図１２に示すようなサドル１が用いられている。このサドル１は、凹部１ａに配管３を収容した状態で両側の取り付け片１ｂをコンクリート釘５によりコンクリートスラブに固定するものである。図１３は天井スラブ７にサドル１により配管３を固定した状態を示す。
【０００３】
このほか、図１４に示すような配管保持具９を用いる方法も公知である。この場合は、まず配管保持具９をコンクリート釘５により天井スラブ７等に固定した後、配管保持具９に配管３を押し込むことにより配管３を固定する。
【０００４】
【発明が解決しようとする課題】
しかしながら図１２のようなサドル１を使用する場合には、配管３を手でスラブ面に押しつけながら配管３にサドル１を装着し、さらにサドル１が落ちたり、ずれたりしないようにサドル１を手で押さえながら電動ドリルドライバー等を使ってコンクリート釘５を打ち込む、という面倒な作業が必要となる。特に天井スラブに配管を固定する場合には、作業者が脚立にのぼり、天井を見上げた状態で上記の作業を行わなければならないため、非常に作業性がわるく、また危険でもある。
【０００５】
また図１４のような配管保持具９を使用する場合にも、配管保持具９を手で押さえながら電動ドリルドライバー等を使ってコンクリート釘を打ち込む、という面倒な作業が必要であり、特に天井配管の場合はサドル使用の場合と同様な問題がある。
【０００６】
本発明の目的は、コンクリートスラブ等に配管・配線を簡単に固定することができる配管・配線固定用埋め込み部材と、それを用いた配管・配線固定具を提供することにある。
【０００７】
【課題を解決するための手段】
本発明に係る配管・配線固定用埋め込み部材は、キャップ型部材と、キャップ型部材の内側にキャップ型部材と一体的に設けられた軸係止部と、キャップ型部材の外側にキャップ型部材の下端より上に位置させてキャップ型部材と一体的に設けられた鍔部と、キャップ型部材の下端縁から外側に張り出すように設けられたコンクリート型枠への取り付け部とを有し、
前記軸係止部は、その内径が挿入される軸の外径よりも小さい軸挿通穴と、この軸挿通穴に軸を挿入すると上方へ弾性変形して軸の挿入を許容すると共に軸の引き抜きに抵抗する複数の弾性爪片とで構成されており、前記軸係止部とキャップ型部材の頂部との間には軸の挿入を許容する空間が設けられている、ことを特徴とするものである。
【０００８】
この埋め込み部材は、配管・配線を保持する保持部材と組み合わせて、次のように使用される。まず埋め込み部材の取り付け部をコンクリート型枠の所定の位置（埋め込み部材を設置しようとする位置）に釘などで固定する。その後、型枠内にコンクリートを流し込み、固化させた後、型枠を外す。すると埋め込み部材が下面を露出した状態でコンクリートに埋め込まれた状態となる。この状態で埋め込み部材は、鍔部がコンクリートに食い込んでいるため、コンクリートから抜け出すおそれがない。
【０００９】
一方、保持部材は、配管・配線を保持するホルダーと、このホルダーから突出して前記埋め込み部材の軸係止部に挿入される支持軸とを有している。したがって配管・配線の固定作業としては、保持部材のホルダーに配管・配線を保持させた後、支持軸を埋め込み部材の軸係止部に挿入するか、又は保持部材の支持軸を埋め込み部材の軸係止部に挿入した後、ホルダーに配管・配線を保持させるだけでよく、きわめて簡単に配管・配線の固定を行うことができる。
【００１０】
【発明の実施の形態】
以下、本発明の実施形態を図面を参照して詳細に説明する。
〔実施形態１〕
図１〜図４は本発明に係る配管固定具の第１の実施形態を示す。この配管固定具は、図１に示すような埋め込み部材１１と、図２に示すような配管の保持部材１３との組み合わせからなる。
【００１１】
埋め込み部材１１は、周壁と天井板で構成される中空のキャップ型部材１５を有している。キャップ型部材１５の下端縁は溶接、接着、その他の手段で鋼板製の平板部１７と一体化されている。平板部１７の、キャップ型部材１５の内側中心部に相当する位置には、図１（Ｄ）（Ｅ）に示すように、ネジ係止部１９が形成されている。このネジ係止部１９は、平板部１７にネジ挿通穴２１を形成し、そのネジ挿通穴２１から四方にスリットを入れることにより４つの弾性爪片２３を形成したものである。弾性爪片２３は若干上方を向くように折り曲げられている。ネジ挿通穴２１の内径は、そこに挿通されるネジ（後述）の溝底外径より若干小さく設定されている。ネジ係止部１９とキャップ型部材１５の天井板との間は、後述するネジが挿入可能な空間２５となっている。
【００１２】
キャップ型部材１５の外側の、平板部１７の平行な２辺には、平板部１７から連続する鋼板が上方へ折り曲げられ、さらに外方へ折り曲げられて、鍔部２７が形成されている。鍔部２７はキャップ型部材１５の下端縁より上に位置している。また平板部１７の、もう１組の平行な２辺の近くには、釘穴２９が形成され、その周辺がコンクリート型枠への取り付け部となっている。
【００１３】
一方、保持部材１３は、図２に示すように、配管を保持するホルダー３１と、このホルダー３１から突出するネジ３３とで構成されている。ホルダー３１は、図３に示すようなほぼ半円形の鞍型部材３５と、図４に示すようなバンド３７とで構成されている。鞍型部材３５は中央部にネジ３３の頭部を収容する門型突起３９を有し、この門型突起３９の両脚部にはバンド通し穴４１が形成されている。さらに鞍型部材３５の外周にはバンド押さえ片４３が形成されている。バンド３７はインシュロックという商品名で市販されているもので、一端側に形成されたバックル部４５に他端側を挿入すると、ギザギザ４７がバックル部４５内の爪に引っ掛かって引き抜けなくなるタイプのものである。ホルダー３１は、このようなバンド３７を鞍型部材３５に図２のように通して、配管を締め付けるものである。
【００１４】
次に、以上のように構成された配管固定具の使用方法を図５〜図７を参照して説明する。まず図５に示すように、埋め込み部材１１をコンクリート型枠４９の所定の位置に釘５１により固定する。その後、型枠４９内にコンクリート５３を流し込み、固化させる。コンクリートを流し込むときには、平板部１７が型枠４９に密接しているため、キャップ型部材１５内の空間２５にコンクリートが入り込むことはない。コンクリート５３が固化したのち型枠４９を外すと、図６のようになる（図６は図５のＡ−Ａ線における断面図）。すなわち、埋め込み部材１１は下面を露出させてコンクリート５３（この場合は天井スラブ）に埋め込まれた状態となる。この状態では鍔部２７がコンクリート５３に食い込んでいるため、埋め込み部材１１がコンクリート５３から抜け出すおそれはない。これで埋め込み部材１１がコンクリート５３の所定位置に固定されたことになる。
【００１５】
次に、保持部材１３のホルダー３１に配管３を保持させた後、ネジ３３を埋め込み部材１１のネジ係止部１９に挿入する。このときは弾性爪片２３が上方へ弾性変形してネジ３３の挿入を許容する。ネジ３３を最後まで押し込むと、図７のようになる。この状態では、弾性爪片２３がネジ３３の谷部に食い込むため、保持部材１３に下向きの荷重がかかってもネジ３３が引き抜けることはない。以上のようにしてきわめて簡単な作業で配管の固定を行うことができる。
【００１６】
埋め込み部材本体１１は、配管ルートに沿って適当な間隔毎に設置される。コンクリート型枠を組み立てる段階で配管ルートが決まっていない場合は、予想されるルートに余分に埋め込み部材１１を設置しておき、その中から実際のルートに合うものを選択して使用すればよい。また保持部材１３を間違ってルートから外れた埋め込み部材１１に取り付けてしまった場合、あるいは配管ルートの変更があった場合には、保持部材１３から配管３を取り外した後、保持部材１３をネジ３３を弛める方向に回転させれば、保持部材１３を埋め込み部材１１から取り外すことができる。したがって作業ミスやルート変更などにも柔軟に対応可能である。
【００１７】
〔実施形態２〕
図８は本発明に係る埋め込み部材の他の実施形態を示す。この埋め込み部材１１が図１のものと異なる点は、コンクリート型枠への取り付け部として、図１の釘穴２９の代わりに矢じり状の突起５５を形成したことと、ネジ係止部１９を２つの弾性爪片２３で構成したことである。それ以外は図１のものと同じであるので同一部分には同一符号を付してある。突起５５は平板部１７の一部を下面側へ切り起こすことにより形成できる。このような突起５５を形成しておけば、埋め込み部材１１をコンクリート型枠に固定するときに釘が不要となる。
【００１８】
〔実施形態３〕
図９（Ａ）（Ｂ）はそれぞれ、保持部材の支持軸の他の実施形態を示す。実施形態１では支持軸としてネジ３３を使用したが、図９（Ａ）は支持軸として先端に笠形突起５７を有する軸５９を使用している。この場合は、笠形突起５７が軸係止部の弾性爪片に引っ掛かって引き抜けない状態となる。笠形突起５７は複数段に形成しておいてもよい。また図９（Ｂ）は支持軸としてプラスチック棒またはアルミ棒などの軟質棒６１を使用したものである。埋め込み部材１１の弾性爪片２３は一般に鋼板製であるので、上記のような軟質棒６１を使用すれば、弾性爪片２３が軟質棒６１に食い込んで引き抜けない状態にすることができる。
【００１９】
〔実施形態４〕
図１０は保持部材の他の実施形態を示す。この保持部材１３は、配管ホルダー３１として一端側に適当な間隔で複数のフック６３を、他端側にフック引っ掛け穴６５を形成したバンド６７を用い、このバンド６７の中間部にネジ３３を取り付けたものである。この保持部材１３は、バンド６７を配管に巻き付けて、何れかのフック６３を、フック引っ掛け穴６５に引っ掛けることにより配管を保持するものである。
【００２０】
〔実施形態５〕
図１１は保持部材のさらに他の実施形態を示す。この保持部材１３は、配管ホルダー３１として、配管外周の半周以上の周長を有する配管保持具６９を使用し、その配管保持具６９の中間に設けた門型突起３９にネジ３３を取り付けたものである。
【００２１】
なお以上の実施形態では配管を固定する場合について説明したが、本発明は配線を固定する場合にも同様に適用可能である。
【００２２】
【発明の効果】
以上説明したように本発明によれば、コンクリート釘などを用いることなく、保持部材の支持軸を埋め込み部材本体に押し込むという簡単な操作で配管・配線を固定することができる。したがって配管・配線作業、特に天井スラブへの配管・配線作業を安全に、かつ迅速に行うことができる。
【図面の簡単な説明】
【図１】  本発明に係る配管・配線固定用埋め込み部材の一実施形態を示す、（Ａ）は平面図、（Ｂ）は正面図、（Ｃ）は側面図、（Ｄ）は底面図、（Ｅ）は（Ｂ）のＥ−Ｅ線断面図。
【図２】  図１の埋め込み部材と組み合わせて使用される保持部材の正面図。
【図３】  図２の保持部材の要部を示す、（Ａ）は平面図、（Ｂ）は正面図、（Ｃ）は側面図。
【図４】  図２の保持部材に使用されるバンドの平面図。
【図５】  図１の埋め込み部材をコンクリート型枠に取り付け、コンクリートに埋め込んだ状態を示す断面図。
【図６】  図５の状態からコンクリート型枠を取り外し、コンクリートに埋め込まれた埋め込み部材に保持部材を取り付ける状態を示す断面図。
【図７】  図１の埋め込み部材と図２の保持部材により配管を固定した状態を示す断面図。
【図８】  本発明に係る埋め込み部材の他の実施形態を示す、（Ａ）は平面図、（Ｂ）は正面図、（Ｃ）は側面図、（Ｄ）は底面図。
【図９】  （Ａ）は本発明に用いる支持軸の他の実施形態を、（Ｂ）は同じくさらに他の実施形態を示す正面図。
【図１０】  本発明に用いる保持部材の他の実施形態を示す、（Ａ）は平面図、（Ｂ）は正面図。
【図１１】  本発明に用いる保持部材のさらに他の実施形態を示す正面図。
【図１２】  従来の配管固定具の一例を示す斜視図。
【図１３】  図１２の配管固定具で配管を天井に固定した状態を示す斜視図。
【図１４】  従来の配管固定具の他の例を示す正面図。
【符号の説明】
３：配管
１１：埋め込み部材
１３：保持部材
１５：キャップ型部材
１７：平板部
１９：ネジ係止部
２１：ネジ挿通穴
２３：弾性爪片
２５：空間
２７：鍔部
２９：釘穴
３１：ホルダー
３３：ネジ
４９：コンクリート型枠
５３：コンクリート天井スラブ
【図１】
0003752047.tif 000002
【図２】
0003752047.tif 000003
【図３】
0003752047.tif 000004
【図４】
0003752047.tif 000005
【図５】
0003752047.tif 000006
【図６】
0003752047.tif 000007
【図７】
0003752047.tif 000008
【図８】
0003752047.tif 000009
【図９】
0003752047.tif 000010
【図１０】
0003752047.tif 000011
【図１１】
0003752047.tif 000012
【図１２】
0003752047.tif 000013
【図１３】
0003752047.tif 000014
【図１４】
0003752047.tif 000015